(57)【要約】【課題】  不正行為が行われたときに当該不正行為を行った可能性がある人物画像を正確に捉えるとともに、当該不正行為の様子を正確に捉えることができる監視カメラシステムを提案する。【解決手段】  遊技機に設置されるセンサにより異常を検知したときに当該遊技機を撮影範囲に含む監視カメラをカメラ設定データベースにもとづいて駆動して当該遊技機付近を撮影するとともに、拡大ボタンが選択されたことにもとづいて監視カメラをカメラ設定データベースにもとづいて異常を検知したセンサに対応する箇所を拡大表示するため、不正行為を行った可能性がある人物画像および不正行為の様子を拡大して表示でき、不正行為を行った可能性がある人物を正確に特定できるとともに、不正行為の様子を正確に捉えることができる。【選択図】  図１４
2006095159.tif 000002
【特許請求の範囲】
【請求項１】
複数の遊技機が設置された遊技場における監視カメラシステムであって、
個々に設定される遊技場内の所定領域を撮影可能に遊技場内の所定位置に設置された複数の撮影手段と、
前記複数の遊技機それぞれに対応して設けられ、異常状態を検出したときに異常状態検出信号を出力する機器状態検出手段と、
前記撮影手段それぞれに設定される所定領域のうち前記機器状態検出手段により前記異常状態検出信号が出力されていない通常状態時の撮影範囲として前記所定領域の遊技機を撮影するための前記撮影手段の撮影条件を設定する第１の撮影条件設定手段と、
前記所定領域の遊技機のうちのいずれかの遊技機に対応した機器状態検出手段により前記異常状態検出信号が出力された異常状態時の撮影範囲として当該異常状態信号を出力した機器状態検出手段に対応する遊技機付近を撮影するための前記撮影手段の撮影条件を設定する第２の撮影条件設定手段と、
前記通常状態にて第１の撮影条件設定手段により設定した撮影条件にもとづいて前記撮影手段を制御する第１の撮影制御と、前記異常状態にて前記第２の撮影条件設定手段により設定した撮影条件にもとづいて前記撮影手段を制御する第２の撮影制御と、を行う撮影制御手段と、
前記異常状態時に撮影される撮影範囲のうち特定領域をトリミング対象領域として前記複数の撮影手段それぞれに対応して設定するトリミング領域設定手段と、
該トリミング領域設定手段により設定したトリミング対象領域の画像を拡大処理する拡大処理手段と、
前記撮影制御手段による前記第１の撮影制御により撮影された撮影画像を出力するとともに、前記撮影制御手段による前記第２の撮影制御より撮影された撮影画像および前記拡大処理手段により拡大処理された拡大画像を出力する画像処理手段と、
該画像処理手段により出力された撮影画像および拡大画像を所定の画面領域にて表示する表示手段と、を備えたことを特徴とする監視カメラシステム。
【請求項２】
前記機器状態検出手段は、対応する遊技機に対して複数設けられ、
前記トリミング領域設定手段により設定されるトリミング対象領域は、前記複数の機器状態検出手段のそれぞれに対応して設定され、
前記拡大処理手段は、前記機器状態検出手段のそれぞれに対応して設定されたトリミング対象領域のうち前記異常状態検出信号が出力された機器状態検出手段に対応して設定されたトリミング対象領域の画像を拡大処理することを特徴とする請求項１記載の遊技機。
【請求項３】
前記画像処理手段は、前記撮影制御手段による前記第２の撮影制御より撮影された撮影画像と、前記拡大処理手段により拡大処理された拡大画像と、を前記画面領域に合成する画像合成処理手段を含むことを特徴とする請求項１または請求項２に記載の遊技機。
【請求項４】
前記拡大処理手段による拡大率を前記トリミング対象領域それぞれに対応して設定する拡大率設定手段を備えたことを特徴とする請求項１乃至請求項３のいずれかに記載の遊技機。
【請求項５】
前記トリミング領域設定手段により設定されるトリミング対象領域は、前記機器状態検出手段に対応して複数設定され、
前記拡大処理手段は、前記機器状態検出手段のそれぞれに対応して設定された複数のトリミング対象領域のうち前記異常状態検出信号が出力された機器状態検出手段に対応して設定された全てのトリミング対象領域を拡大処理することを特徴とする請求項１乃至請求項４のいずれかに記載の遊技機。
【発明の詳細な説明】
【技術分野】
【０００１】
本発明は、複数の遊技機が設置された遊技場における監視カメラシステムに関するものである。
【背景技術】
【０００２】
遊技機として、遊技玉などの遊技媒体を発射装置によって遊技領域に発射し、遊技領域に設けられている入賞口などの入賞領域に遊技媒体が入賞すると、所定数の景品遊技媒体が遊技者に払い出されるパチンコ機や、遊技媒体としての遊技メダルを投入したことにもとづく遊技可能状態で外周部に複数種類の図柄が描かれた複数のリールを回転させて停止時のリールの表示態様に応じて所定数の景品遊技媒体が払い出されるスロットマシン等がある。
【０００３】
このような遊技機において、磁石を用いて遊技玉を所定の入賞口へ誘導して入賞率を高める不正行為や、強力な電磁波を遊技機の制御を行うメイン基板に対して出力して誤動作させることにより景品遊技媒体の払い出しを行わせる不正行為等が行われていた。上述した遊技機が複数設置される遊技場やカジノにおいては、監視カメラを設置してこのような不正行為を監視する等の対策がなされている。
【０００４】
従来、監視対象物を撮影する監視カメラにおいて、異常が発生していない状態のときには広角範囲で撮影するとともに、該広角範囲内で異常が発生したときには異常発生箇所をズームアップして撮影する技術がある（例えば、特許文献１参照）。上述した遊技場やカジノにおいては、この技術を利用して通常は複数の遊技機を広角に撮影するとともに、各遊技機に対応して設けられている各種センサの異常検出に応じて該異常検出があった遊技機付近をズームアップして撮影することが現状行われている。
【特許文献１】特開平１１−２７５５５８号公報（段落００２８〜段落００３０、第４図）
【発明の開示】
【発明が解決しようとする課題】
【０００５】
現状では、各種センサの異常検出に応じた遊技機付近をズームアップすることはできるが、遊技場およびカジノにおいては、不正行為を行った可能性がある人物画像を正確に捉えるとともに、当該不正行為の様子を正確に捉えることが求められており、各種センサの異常検出に応じた遊技機付近をズームアップするだけではこれらの要求を完全に満たすことができなかった。
【０００６】
本発明は、これらの事情に鑑みなされたものであり、その目的とするところは、不正行為が行われたときに当該不正行為を行った可能性がある人物画像を正確に捉えるとともに、当該不正行為の様子を正確に捉えることができる監視カメラシステムを提案することにある。
【課題を解決するための手段】
【０００７】
上記目的を達成するために、請求項１の発明においては、複数の遊技機（例えば、パチンコ機１、スロットマシン２、等）が設置された遊技場における監視カメラシステム（例えば、監視カメラ５、主装置１０、ホールコンピュータ２０、等により構成される監視システム）であって、個々に設定される遊技場内の所定領域を撮影可能に遊技場内の所定位置に設置された複数の撮影手段（例えば、監視カメラ５）と、前記複数の遊技機それぞれに対応して設けられ、異常状態を検出したときに異常状態検出信号を出力する機器状態検出手段（例えば、センサ（ガラス枠開放センサ１ａ、磁気検出センサ１ｂ、電磁波検出センサ１ｃ、止打ち検出センサ１ｄ、前面扉開放センサ２ｐ、投入異常検出センサ２ｑ、異物検出センサ２ｒ、スタート異常検出センサ２ｓ））と、前記撮影手段それぞれに設定される所定領域のうち前記機器状態検出手段により前記異常状態検出信号が出力されていない通常状態時の撮影範囲として前記所定領域の遊技機を撮影するための前記撮影手段の撮影条件を設定する第１の撮影条件設定手段（例えば、ＣＰＵ１３の機能であって、ズーム領域設定処理にて通常時の監視カメラ５の向き（パン角度、チルト角度）およびズーム倍率を設定する部分）と、前記所定領域の遊技機のうちのいずれかの遊技機に対応した機器状態検出手段により前記異常状態検出信号が出力された異常状態時の撮影範囲として当該異常状態信号を出力した機器状態検出手段に対応する遊技機付近を撮影するための前記撮影手段の撮影条件を設定する第２の撮影条件設定手段（例えば、ＣＰＵ１３の機能であって、ズーム領域設定処理にて遊技機の装置ＩＤに対応して監視カメラ５の向き（パン角度、チルト角度）およびズーム倍率を設定する部分）と、前記通常状態にて第１の撮影条件設定手段により設定した撮影条件にもとづいて前記撮影手段を制御する第１の撮影制御（例えば、ＣＰＵ１３によりカメラ設定データベースに記憶される通常時の監視カメラ５の向き（パン角度、チルト角度）およびズーム倍率にもとづいて監視カメラ５を駆動制御）と、前記異常状態にて前記第２の撮影条件設定手段により設定した撮影条件にもとづいて前記撮影手段を制御する第２の撮影制御（例えば、ＣＰＵ１３によりカメラ設定データベースに記憶される装置ＩＤに対応する監視カメラ５の向き（パン角度、チルト角度）およびズーム倍率にもとづいて監視カメラ５を駆動制御）と、を行う撮影制御手段（例えば、ＣＰＵ１３の機能であって、カメラ設定データベースにもとづいて監視カメラ５を駆動制御する部分）と、前記異常状態時に撮影される撮影範囲のうち特定領域をトリミング対象領域として前記複数の撮影手段それぞれに対応して設定するトリミング領域設定手段（例えば、ＣＰＵ１３の機能であって、トリミング領域設定処理にて各種センサそれぞれに対応してトリミング領域を設定する部分）と、該トリミング領域設定手段により設定したトリミング対象領域の画像を拡大処理する拡大処理手段（例えば、画像処理基板１４の機能であって、異常発生処理のステップＳ１２６でカメラ設定データベースの内容にもとづいて拡大画像を作成する部分）と、前記撮影制御手段による前記第１の撮影制御により撮影された撮影画像を出力するとともに、前記撮影制御手段による前記第２の撮影制御より撮影された撮影画像および前記拡大処理手段により拡大処理された拡大画像を出力する画像処理手段（例えば、ＣＰＵ１３の機能であって、カメラ設定データベースに記憶される通常時の監視カメラ５の向き（パン角度、チルト角度）およびズーム倍率により駆動された監視カメラ５により撮影された画像を表示装置１１に出力する部分と、異常発生処理におけるステップＳ１２３で装置ＩＤに応じた監視カメラ５の向き（パン角度、チルト角度）およびズーム倍率で撮影された画像、および、ステップＳ１２６で拡大処理した画像を表示装置１１に出力する部分）と、該画像処理手段により出力された撮影画像および拡大画像を所定の画面領域にて表示する表示手段（例えば、表示装置１１）と、を備えたことを特徴とする。
【０００８】
また、請求項２の発明においては、前記機器状態検出手段は、対応する遊技機に対して複数設けられ、前記トリミング領域設定手段により設定されるトリミング対象領域は、前記複数の機器状態検出手段のそれぞれに対応して設定され（例えば、カメラ設定データベースに各種センサＩＤに対応してトリミング領域が複数設定され）、前記拡大処理手段は、前記機器状態検出手段のそれぞれに対応して設定されたトリミング対象領域のうち前記異常状態検出信号が出力された機器状態検出手段に対応して設定されたトリミング対象領域の画像を拡大処理する（例えば、異常発生処理のステップＳ１２５で装置ＩＤおよびセンサＩＤに対応するトリミング領域および拡大率を読み出し、読み出した値にもとづいてステップＳ１２６で拡大画像を作成する）ことを特徴とする。
【０００９】
また、請求項３の発明においては、前記画像処理手段は、前記撮影制御手段による前記第２の撮影制御より撮影された撮影画像（例えば、異常発生処理のステップＳ１２３で表示する画像、図１４（Ａ））と、前記拡大処理手段により拡大処理された拡大画像（例えば、異常発生処理のステップＳ１２６で画像処理基板１４により作成された拡大画像）と、を前記画面領域に合成する画像合成処理手段（例えば、ＣＰＵ１３の機能であって、異常発生処理のステップＳ１２７で重ねて合成した合成画像を作成する部分、および、別エリアで合成した合成画像を作成する部分）を含むことを特徴とする。
【００１０】
また、請求項４の発明においては、前記拡大処理手段による拡大率を前記トリミング対象領域それぞれに対応して設定する拡大率設定手段（例えば、ＣＰＵ１３の機能であって、トリミング領域設定処理のステップＳ２２７で選択された領域に応じた拡大率を算出し、算出した拡大率をステップＳ２２８で装置ＩＤおよびセンサＩＤに対応付けてカメラ設定データベースに記憶する部分）を備えたことを特徴とする。
【００１１】
また、請求項５の発明においては、前記トリミング領域設定手段により設定されるトリミング対象領域は、前記機器状態検出手段に対応して複数設定され、前記拡大処理手段は、前記機器状態検出手段のそれぞれに対応して設定された複数のトリミング対象領域のうち前記異常状態検出信号が出力された機器状態検出手段に対応して設定された全てのトリミング対象領域を拡大処理する（例えば、ステップＳ１２５で異常を検知したセンサのセンサＩＤに対応してカメラ設定データベースに記憶されているトリミング領域および拡大率を全て読み出し、ステップＳ１２６でそれぞれのトリミング領域および拡大率にもとづいて個々に拡大画像を作成する）ことを特徴とする。
【発明の効果】
【００１２】
請求項１に係る発明においては、機器状態検出手段により異常状態検出信号が出力された異常状態時に当該異常状態信号に対応する遊技機付近を撮影するとともに、当該撮影範囲のうち特定領域の画像を拡大処理して表示手段の画面領域に表示するため、不正行為を行った可能性がある人物画像および不正行為の様子を拡大して表示でき、不正行為を行った可能性がある人物を正確に特定できるとともに、不正行為の様子を正確に捉えることができる。
【００１３】
また、請求項２に係る発明においては、機器状態検出手段のそれぞれに対応して設定されたトリミング対象領域のうち異常状態検出信号が出力された機器状態検出手段に対応して設定されたトリミング対象領域の画像を拡大処理するため、遊技機に対して複数の機器状態検出手段がそれぞれ異なる箇所に設けられていても、それぞれの機器状態検出手段による異常検出信号に応じて当該機器状態検出手段に対応した箇所の拡大画像を表示でき、不正行為の様子を正確に捉えることができる。
【００１４】
また、請求項３に係る発明においては、撮影制御手段による第２の撮影制御より撮影された撮影画像と、拡大処理手段により拡大処理された拡大画像と、を画面領域に合成するため、表示手段の画面領域に両方の画像を表示でき、第２の撮影制御により撮影された撮影画像により不正行為を行った可能性がある人物を特定できるとともに、拡大画像により不正行為の様子を正確に捉えることができる。
【００１５】
また、請求項４に係る発明においては、拡大処理手段による拡大率をトリミング対象領域それぞれに対応して設定するため、撮影手段の設置箇所、異常検出信号を出力した機器状態検出手段の位置、に応じて拡大率を設定でき、不正行為の様子を正確に捉えることができる。
【００１６】
また、請求項５に係る発明においては、機器状態検出手段のそれぞれに対応して設定された複数のトリミング対象領域のうち異常状態検出信号が出力された機器状態検出手段に対応して設定された全てのトリミング対象領域を拡大処理するため、不正行為の様子を捉えるうえで複数箇所を捉える必要が生じる場合にも対応できる。
【発明を実施するための最良の形態】
【００１７】
以下、本発明の一実施形態について、図面を参照して説明する。まず、監視装置の一例である監視カメラの構成について説明する。図１は、本実施形態の遊技場における監視装置の構成を示すブロック図である。なお、本実施形態では、監視装置の一例として通常の小型の監視カメラを示すが、これに限定されるものではなく、例えば、閉店時や夜間でも撮影が可能な遠赤外線カメラや、光量が少ない場所でも映像を撮影可能な暗視カメラ等のカメラを用いるようにしてもよい。
【００１８】
本実施形態の監視装置が適用される遊技場には、図１に示すように複数の遊技機（例えば、パチンコ機１、スロットマシン２）が設置される。また、遊技場内の天井の所定位置に設置された撮影手段としての複数の監視カメラ５と、これら各監視カメラにそれぞれ接続される接続ケーブル９を介して接続され、各監視カメラにより撮影された画像を記録可能な主装置１０と、遊技機、プリペイドカードユニット３（図３参照）、カード発行機４０、両替機（図示しない）、ジェットカウンタ６０、精算機７０、等に設けられ、各装置の異常等を検知するための機器状態検出手段である各種センサ（図３および図１６参照）とから構成されている。
【００１９】
なお、これら各装置には、予め各装置を特定可能とするための装置識別情報として装置ＩＤが付与され、装置ＩＤに応じた装置が特定可能となっている。また、各装置に設置される各種センサには、予め各種センサを特定可能とするためのセンサ識別情報としてセンサＩＤが付与され、センサＩＤに応じたセンサが特定可能となっている。そして、主装置１０にて装置ＩＤにより異常が検知された装置を特定し、センサＩＤにより当該装置の異常発生箇所を特定することが可能となっている。
【００２０】
本実施形態では、図示上方から図示下方に撮影するような天井位置に設置された監視カメラ５に図示左端から順にカメラＩＤ０１〜０４が付与され、図示中央から図示上方に撮影するような天井位置に設置された監視カメラ５に図示左端から順にカメラＩＤ０５〜０８が付与され、図示中央から図示下方に撮影するような天井位置に設置された監視カメラ５に図示左端から順にカメラＩＤ０９〜１２が付与され、図示下方から図示上方に撮影するような天井位置に設置された監視カメラ５に図示左端から順にカメラＩＤ１３〜１６が付与され、図示下方から精算機７０および景品用ＰＯＳ７１を撮影する監視カメラ５にカメラＩＤ１７が付与されている。
【００２１】
また、本実施形態では、遊技機が１列に１０台ずつ列設されて遊技場に設置され、図示上方左端から順に装置ＩＤの区画を示すＩＤ「Ａ」〜「Ｈ」が付与され、図示下方左端から順に装置ＩＤの区画を示すＩＤ「Ｉ」〜「Ｐ」が付与されている。そして、遊技機が列設されるそれぞれの列にて図示上端から順に装置ＩＤの位置情報を示すＩＤ「０１」〜「１０」が付与されている。すなわち、遊技場に設置される遊技機を特定するには、装置ＩＤの区画を示すＩＤと、装置ＩＤの位置情報を示すＩＤと、により特定可能となり、図示上方左端の列に設置される遊技機のうち図示下端に位置する遊技機は、「Ａ−１０」という装置ＩＤにより特定される。
【００２２】
主装置１０に接続される監視カメラ５によって撮影された画像は、主装置１０の後述するハードディスク１９に録画される。これら遊技場内に設置された複数の監視カメラ５は、光学レンズと撮像素子（ＣＣＤ）とを搭載して目的の撮影エリアの画像を電気信号に変換し、接続ケーブル９に高周波信号として出力可能とされた通常の小型の監視カメラであり、各監視カメラ５には個別にカメラＩＤが付与され、主装置１０にてカメラＩＤに応じた監視カメラ５が特定可能となっている。
【００２３】
このような監視カメラ５により撮影された画像は、上述したように主装置１０のハードディスク１９に録画される。このように、本実施形態では、監視カメラ５により撮影された画像を固定磁気ディスク装置に記録することが好ましい。すなわち、比較的記憶容量が大きい固定磁気ディスク装置としてのハードディスク１９に記録することにより長時間の画像の録画が可能となっている。なお、本発明における監視カメラ５により撮影された画像を記録するための記憶媒体は、固定磁気ディスク装置に限定されるものではなく、遊技場に設置される監視カメラ５の設置数（台数）や、記憶されるデータの量に合わせて適宜選択すればよい。例えば、ＤＶＤやブルーレイディスク等の光ディスク媒体を記録媒体として用いるようにしてもよい。
【００２４】
また、この実施の形態では、監視カメラ５により撮影された画像の画像データは、録画日時、発生した異常を特定可能な情報とともにカメラＩＤに対応付けて記録され、さらに、カメラＩＤに対応した複数の画像データが所定期間（例えば、１日）毎にまとめられた録画ファイルとして主装置１０のハードディスク１９に記録される。そして、主装置１０を操作する際に、所定の日時の録画ファイルを選択して、録画ファイルに含まれる複数のデータのうち所定のカメラＩＤに対応した画像データを選択することにより主装置１０のディスプレイ（後述する表示装置１１）に所望の画像を表示させることが可能となる。
【００２５】
遊技場に設置される監視カメラ５は、遊技場内に設置される台数を可能な限り少なくするとともに、全ての遊技機を撮影可能となるような天井位置に計１６台設置され、さらに、精算機７０と、ジェットカウンタ６０にて計数した遊技玉数および遊技メダル数に応じた景品交換処理を行うための景品用ＰＯＳ７１と、を監視できるような天井位置に１台設置され、主装置１０に接続されている。
【００２６】
本実施形態における遊技場には、複数（この実施の形態では、１０島）の遊技島が並設され、当該遊技島に複数の遊技機が列設されている。なお、この実施の形態における遊技島は、遊技場の壁に沿って列設された１列の遊技機からなるものと、遊技場内の所定の位置に背向列設された２列の遊技機からなるものと、があり、この実施の形態では、それぞれの遊技島において１列に１０台の遊技機が列設される。そして、それぞれの遊技島に列設される遊技機が、当該遊技島に並設する遊技島に列設される遊技機と対向するようにそれぞれの遊技島を配置されている。
【００２７】
また、本実施形態では、並設される遊技島間を両側方（図示上方および図示下方）から撮影可能となる天井位置にそれぞれ２台の監視カメラ５が設置され、一方の遊技島に列設される遊技機と、該遊技機と対向して設けられ、当該遊技島に並設される遊技島に列設された遊技機と、のうち一方の監視カメラ５の手前（監視カメラ５に近い側）から奥（監視カメラ５から遠い側）へ向って対向するそれぞれ５台ずつ、合計１０台の遊技機が撮影可能な範囲である。すなわち、遊技島間を両側方から撮影する２台の監視カメラ５の撮影範囲は、２つの遊技島に列設される遊技機の半数ずつ含む領域である。
【００２８】
なお、遊技島の一側端にカード発行機４０やジェットカウンタ６０等が設置されている場合には、当該遊技島を含む遊技島間を撮影可能に設置される４台の監視カメラ５のうち、当該一側端に近い側に設置される２台の監視カメラ５の一方でカード発行機４０またはジェットカウンタ６０を撮影可能となるように設置される。
【００２９】
本実施形態の主装置１０は、遊技場内の各遊技機の大当りの発生や、大当りの発生回数、並びに、可変表示装置の始動回数や補給玉数、排出玉数などの各データを集中して管理可能なホールコンピュータ２０と通信ケーブル２１ａにて接続されているとともに、プリペイドカードユニット３の販売状況や貸玉の状況を管理するためのシステムコントローラ１００とも通信ケーブル２１ｂにて接続されている。
【００３０】
遊技場内の各種装置に設置された各種センサにより異常が検知された場合には、それぞれの装置が接続されているホールコンピュータ２０や、システムコントローラ１００から異常内容を特定可能な所定データが主装置１０へ出力されることで、発生した異常の内容を主装置１０にて把握できるようになっている。
【００３１】
なお、主装置１０においては、該異常の検知にもとづいて当該異常に対応する遊技機付近を撮影するとともに、所定の操作にもとづいて各異常に対応して設定された領域の画像処理を施し、当該画像を主装置１０のディスプレイ（後述する表示装置１１）にて表示する。
【００３２】
次に、主装置１０の構成について説明する。図２は、本実施形態における主装置１０の構成を示すブロック図である。なお、図１に示すように、本実施形態における主装置１０は、外観的には監視カメラ５で撮影された画像等を表示可能なディスプレイ（後述する表示装置１１）を備えており、通常のデスクトップ型のコンピュータと類似した外観を有している。
【００３３】
図２に示すように、主装置１０は、主装置１０内部でデータの送受を行うデータバス８に中央演算処理装置（ＣＰＵ）１３、ＲＡＭ１６、監視カメラ５により撮影された画像を表示可能な表示装置１１、日時情報を出力可能なＲＴＣ（リアルタイムクロック）１８、キーボードおよびマウスなどからなる入力装置１２、表示装置１１に表示された画像を印刷可能なプリンタ１７、記録されたデータにランダムにアクセス可能な磁気ディスクを内蔵するハードディスク１９、ホールコンピュータ２０とデータ通信を実施する通信インターフェイス１５ａ、システムコントローラ１００とデータ通信を実施する通信インターフェイス１５ｂ、とが接続された通常のコンピュータである。
【００３４】
また、本実施形態においては、主装置１０のデータバス８に接続された基板スロットに監視カメラ５により撮影された画像データの画像処理を施す画像処理基板１４を装着している。画像処理基板１４には、接続ケーブル９を介して監視カメラ５が接続されている。また、画像処理基板１４には、比較的高速の所定速度にて各フレーム毎に画像をデジタル化して出力するビデオキャプチャ回路や、このデジタル化された各フレーム毎のデジタル画像データが書き込まれるフレームメモリ等からなる画像処理回路が設けられている。
【００３５】
監視カメラ５から撮影された画像データは画像処理基板１４によりデジタルデータに変換処理された後、主装置１０のＣＰＵ１３によりハードディスク１９に上述した録画ファイルとして記録される。なお、本実施形態のハードディスク１９には、遊技場に設置される装置にて異常が発生していない通常時における各監視カメラ５の向き（例えば、パン角度（左右方向の向きを示す角度）、チルト角度（上下方向の向きを示す角度））およびズーム倍率と、遊技場に設置される装置にて異常が発生した異常時のカメラの向き、ズーム倍率、後述するトリミング領域、および、拡大率と、からなるカメラ設定データがカメラＩＤに対応して個々に記録されるカメラ設定データベースや、監視カメラ５にて遊技場に設置される装置の監視を行う際に主装置１０に搭載されるＣＰＵ１３により実行される監視プログラムも記録されている。
【００３６】
この実施の形態における監視カメラ５は、通常時においては上述した撮影範囲の装置を撮影可能となるようなカメラの向きおよびズーム倍率と、当該撮影範囲の装置のいずれかにて異常が発生した場合には、当該装置付近をズームアップして（この実施の形態では、当該装置付近を拡大して）撮影可能となるようなカメラの向きおよびズーム倍率と、がカメラ設定データに記録される。また、異常が発生したときの画像のうち当該異常に対応した箇所がトリミング領域として設定されるとともに、当該トリミング領域を表示する際の拡大率も設定されている。
【００３７】
なお、上述したように、監視カメラ５は、遊技島に列設される遊技機のうち所定範囲に含まれる遊技機と、カード発行機４０またはジェットカウンタ６０と、を撮影可能であり、通常時のカメラの向きおよびズーム倍率は、当該所定範囲に含まれる遊技機、カード発行機４０、および、ジェットカウンタ６０を撮影可能となるように操作者が主装置１０を操作することにより監視カメラ５毎にカメラ設定データを設定する。
【００３８】
また、監視カメラ５の所定範囲に含まれる遊技機、カード発行機４０、またはジェットカウンタ６０のいずれかにて異常が発生した異常時のカメラの向きおよびズーム倍率は、当該異常が発生した装置付近をズームアップして撮影可能となるように操作者が主装置１０を操作することにより各監視カメラ５の所定範囲に含まれる装置毎にカメラ設定データを設定する。さらに、遊技機毎に設定したカメラ設定データを用いて監視カメラ５から撮影された画像データのうち当該異常に応じた箇所、すなわち、操作者が主装置１０を操作することにより、異常を検知したセンサのセンサＩＤに対応して不正が行われたと推測される箇所を拡大表示するように設定する。図３に遊技機の一例であるパチンコ機１について示す。
【００３９】
図３に示すように、パチンコ機１は、縦長の方形状に形成された外枠（図示しない）と、外枠の内側に開閉可能に取り付けられた前枠１１０と、額縁状に形成されて前枠１１０に対して開閉可能に取り付けられたガラス扉枠１１１と、を有する。ガラス扉枠１１１の下部表面には打玉供給皿１１２がある。打玉供給皿１１２の下部には、打玉供給皿１１２に収容しきれない遊技玉を貯留する余剰玉受皿１１３、遊技玉を発射する打玉操作ハンドル１１４が設けられている。
【００４０】
また、ガラス扉枠１１１の背面には、遊技盤１１５が着脱可能に取り付けられている。なお、遊技盤１１５は、それを構成する板状体と、その板状体に取り付けられた種々の部品とを含む構造体である。また、遊技盤１１５の前面には打ち込まれた遊技玉が流下可能な遊技領域１１６が形成されている。
【００４１】
遊技領域１１６の中央付近には、遊技玉が始動入賞口１１８へ入賞したことに基づいて図柄の変動表示を行う可変表示装置１１７が設けられ、可変表示装置１１７の下方には、始動入賞口１１８を有する可変入賞装置１１９が設けられている。
【００４２】
また、図示しないがパチンコ機１には駆動モータの回転力を利用して遊技玉を遊技領域１１６に発射する打玉発射装置が設けられている。遊技者が打玉操作ハンドル１１４を操作することにより打玉発射装置から発射された遊技玉は、誘導レールを通って遊技領域１１６に入り、その後、遊技領域１１６を下りてくる。そして、いずれの入賞口にも入賞しなかった遊技玉は遊技領域１１６下部に設けられたアウト口１２０に取り込まれて遊技盤１１５の背面へ導かれ、アウト玉計数器（図示しない）にて計数される。なお、遊技盤１１５に設けられたいずれかの入賞口に入賞した遊技玉も同様に遊技盤１１５の背面へ導かれてアウト玉計数器にて計数される。すなわち、アウト玉計数器によりパチンコ機１に打ち込まれた遊技玉の総数が計数される。
【００４３】
このように構成されるパチンコ機１においては、不正行為対策として様々なセンサが設けられている。不正行為の内容としては、例えば、パチンコ機１のガラス扉枠１１１を不正に開放して遊技盤１１５に設けられた入賞口に遊技玉を入賞させたり、ガラス扉枠１１１の上方から遊技領域１１６を流下する遊技玉を磁石に吸いつけて入賞口（例えば、始動入賞口１１８）付近に移動させて当該入賞口への遊技玉の入賞率を高めたり、パチンコ機１にて実行される遊技を制御する主基板に強力な電磁波を発射することにより遊技制御を狂わせたり、体感器を用いて所定の間隔で遊技玉の発射および停止を繰り返すことにより当りとなるタイミングを狙ったりすること等が行われている。
【００４４】
このような不正を検出する手段としてパチンコ機１には、ガラス扉枠１１１が開放されたときに信号を出力するガラス枠開放センサ１ａ、始動入賞口１１８付近に設けられて磁力を検出したときに信号を出力する磁気検出センサ１ｂ、主基板の搭載される位置の図示手前に設けられて電磁波を検出したときに信号を出力する電磁波検出センサ１ｃ、アウト玉計数器により計数した遊技玉の所定期間における打ち込み数が所定数以下であったときに止打ちしていると判定して信号を出力する止打ち検出センサ１ｄ、等が設けられている。
【００４５】
なお、上述したように、パチンコ機１に設けられる各種センサには、主装置１０にて各種センサを特定可能なセンサＩＤとして、図３に示すように、前枠開放センサ１ａはセンサＩＤ「ａ」が付与され、磁気検出センサ１ｂはセンサＩＤ「ｂ」が付与され、電磁波検出センサ１ｃはセンサＩＤ「ｃ」が付与され、止打ち検出センサ１ｄはセンサＩＤ「ｄ」が付与されている。パチンコ機１に設けられたセンサにより異常が検知されると、パチンコ機１からホールコンピュータ２０に当該パチンコ機１に付与された装置ＩＤと、当該異常を検知したセンサのセンサＩＤと、を出力する。
【００４６】
ホールコンピュータ２０では、異常を検知したパチンコ機１に付与された装置ＩＤと、当該異常を検知したセンサのセンサＩＤと、を示す信号が入力されたことにもとづいて当該異常に応じた処理を実行するとともに、当該装置ＩＤおよびセンサＩＤを主装置１０に出力する。主装置１０では、装置ＩＤおよびセンサＩＤが入力されたことにもとづき、上述したカメラ設定データベースの装置ＩＤおよびセンサＩＤに対応したカメラ設定データを読み出し、読み出したカメラ設定データに応じて監視カメラ５を駆動制御する。すなわち、ホールコンピュータ２０から入力された装置ＩＤに対応するパチンコ機１が撮影範囲に含まれる監視カメラ５のカメラＩＤに応じたカメラ設定データベースに設定される各設定条件のうち入力された装置ＩＤに応じたカメラ設定データを読み出して、当該監視カメラを駆動制御する。
【００４７】
図４は、カメラ設定データベースにカメラＩＤに対応して個々に記録されるカメラ設定データの一例を示す説明図であり、主装置１０のディスプレイ等からなる表示装置１１にて表示された状態を示している。図４に示すカメラ設定データは、カメラＩＤ「０１」に対応したものであり、図１に示す遊技場に設置される監視カメラ５のうち図示上方左端に図示上方から図示下方に撮影可能となるように設置されたものである。また、このカメラ設定データは、図１に示す装置ＩＤ「Ａ−０１」〜「Ａ−０５」および「Ｂ−０１」〜「Ｂ−０５」に対応するパチンコ機１のうち図示上方左端に列設されるパチンコ機１のうち上端のパチンコ機１から５台目のパチンコ機１までと、図示上方左端から２番目に列設されるパチンコ機１のうち上端のパチンコ機１から５台目のパチンコ機１までと、が撮影可能となるように設定されている。
【００４８】
また、上述したように、これらのパチンコ機１のいずれかに設けられたセンサによって異常が検知されていない通常時には、装置ＩＤ「Ａ−０１」〜「Ａ−０５」および「Ｂ−０１」〜「Ｂ−０５」に対応するパチンコ機１全てを撮影可能となるように監視カメラ５の向き（この実施形態では、パン角度（左右方向の向きを示す角度）、チルト角度（上下方向の向きを示す角度））およびズーム倍率がカメラ設定データに設定されている。
【００４９】
そして、これらのパチンコ機１のうちいずれかに設けられたセンサによって異常が検知され、ホールコンピュータ２０から装置ＩＤおよびセンサＩＤが入力された異常時には、当該装置ＩＤに応じたパチンコ機１付近をズームアップして撮影可能となるように監視カメラ５の向き（この実施形態では、パン角度（左右方向の向きを示す角度）、チルト角度（上下方向の向きを示す角度））およびズーム倍率が各装置ＩＤに対応して個々にカメラ設定データに設定されている。
【００５０】
さらに、これら異常時にズームアップされたパチンコ機１付近のうち異常を検知したセンサのセンサＩＤに対応して拡大表示したい箇所（トリミング領域）および拡大率が設定される。この実施の形態では、ガラス枠開放センサ１ａによりガラス扉枠１１１が開放されたことを検知したときに参照されるガラス枠開放エラーと、磁気検出センサ１ｂにより磁力を検知したときに参照される磁気検出エラーと、電磁波検出センサ１ｃにより電磁波を検知したときに参照される電磁波検知エラーと、止打ち検出センサ１ｄにより止打ちしていると判定されたときに参照されるハンドルエラーと、のそれぞれにトリミング領域および拡大率が設定されている。このように、異常を検知したセンサにより異なるトリミング領域を設定し、当該センサにより異常を検知したときに当該センサに対応した画像を表示することにより不正が行われたと推測される箇所を拡大表示して不正行為の内容を正確に捉えることが可能となる。
【００５１】
なお、カメラ設定データは、操作者が主装置１０を操作して各監視カメラ５を駆動し、監視カメラ５毎に作成される。図４の図示下方には、ズーム領域を設定する際に選択されるズーム領域設定ボタンと、トリミング領域を設定する際に選択されるトリミング領域設定ボタンと、が表示され、主装置１０のキーボードやマウス等の入力装置１２により選択することにより設定画面が表示装置１１に表示される。
【００５２】
次に、主装置１０に搭載されるＣＰＵ１３によって実行される処理について説明する。表示装置１１に図４の表示画面が表示されている場合には、ＣＰＵ１３により初期設定処理が実行される。初期設定処理にてズーム領域設定ボタンが操作された場合には（ステップＳ１１１）、すなわち、図４に示すズーム領域設定ボタンが選択された場合には、ズーム領域設定処理サブルーチンを実行する（ステップＳ１１２）。次いで、トリミング領域設定ボタンが操作された場合には（ステップＳ１１３）、すなわち、図４に示すトリミング領域設定ボタンが選択された場合には、トリミング領域設定処理サブルーチンを実行する（ステップＳ１１４）。
【００５３】
このとき、ステップＳ１１１でズーム領域設定ボタンが操作された場合には、表示装置１１に対応する監視カメラ５の画像を表示し、具体的には、図９（Ａ）に示す画像表示が行われ、ステップＳ１１３でトリミング領域設定ボタンが操作された場合には、対応する監視カメラ５の装置ＩＤに対応するパチンコ機１付近の画像、すなわち、カメラ設定データベースに記憶される監視カメラ５の向き（パン角度、チルト角度）およびズーム倍率で対応する監視カメラ５を駆動して撮影された画像を表示し、具体的には、図１１に示す画像表示が行われる。
【００５４】
ズーム領域設定処理サブルーチンの一例を図６に示す。主装置１０に搭載されるＣＰＵ１３は、まず、表示装置１１に監視カメラ５の画像を表示する（ステップＳ２１１）。すなわち、図４にてズーム領域設定ボタンが選択されたことにもとづいて当該カメラＩＤに対応する監視カメラ５により撮影された画像、具体的には、図９（Ａ）に示すような画像を表示装置１１に表示する。
【００５５】
次いで、ＣＰＵ１３は、カメラＩＤに対応して設定される複数の設定条件のうちいずれかが選択されたか否か、すなわち、図４のカメラ設定データに示される通常時が選択されたか、または、異常時の各装置ＩＤのいずれが選択されたかを確認し（ステップＳ２１２）、選択された通常時または異常時の装置ＩＤに対応して設定された監視カメラ５の向き（この実施の形態では、パン角度（左右方向の向きを示す角度）、チルト角度（上下方向の向きを示す角度））およびズーム倍率を読み出し、読み出した設定値としての監視カメラ５の向きおよびズーム倍率で監視カメラ５を駆動して撮影された画像、具体的には、図９（Ｂ）に示すような画像を表示装置１１に表示する（ステップＳ２１３）。
【００５６】
次いで、監視カメラ５の向きおよびズーム倍率が新たに入力されたか確認し（ステップＳ２１４）、入力された値に応じて監視カメラ５を駆動し、表示装置１１に画像を表示する（ステップＳ２１５）。表示された画像に決定する場合には（ステップＳ２１６）、監視カメラ５の向きおよびズーム倍率を設定条件（通常時または装置ＩＤ）に対応付けてカメラ設定データに記憶し（ステップＳ２１７）、カメラＩＤに対応して設定される複数の設定条件のうち他の設定条件の設定値を設定する場合には、ステップＳ２１１〜ステップＳ２１７の処理を繰り返し実行し、他の設定条件の設定値を設定しない場合には処理を終了する（ステップＳ２１８）。
【００５７】
なお、ステップＳ２１４〜ステップＳ２１５で監視カメラ５の向きおよびズーム倍率を入力する際、キーボード等の入力装置１２を用いて設定値を数値で入力し、入力された設定値にもとづいて主装置１０のＣＰＵ１３が監視カメラ５を駆動して入力された設定値にもとづく画像を表示装置１１に表示させ、決定する場合には、入力された設定値をカメラ設定データに記憶するようにしてもよいし、図９（Ｂ）に示すような表示装置１１に表示される監視カメラ５の画像を確認しながらキーボードやマウス等により上下・左右移動ボタンおよびズームボタンを操作して、主装置１０のＣＰＵ１３により上下・左右移動ボタンまたはズームボタンの操作があったときに監視カメラ５を当該ボタン操作に応じて駆動して表示装置１１に画像を表示させ、決定する場合にはＣＰＵ１３により駆動される監視カメラ５の設定値を特定して当該設定値をカメラ設定データに記憶するようにしてもよい。
【００５８】
このような処理により、装置ＩＤに対応するパチンコ機１それぞれに対して監視カメラ５の向きおよびズーム倍率が設定される。具体的には、図１０に示すように、監視カメラ５の撮影範囲に含まれるパチンコ機１それぞれに対して、異常が発生したときの監視カメラ５の向きおよびズーム倍率によって撮影される領域が設定されている。そのため、パチンコ機１にて異常が発生したときに当該パチンコ機１に対応して設定されている監視カメラ５の向きおよびズーム倍率で監視カメラ５を駆動することにより当該パチンコ機１付近をズームアップして撮影することが可能となり、不正行為を行った可能性がある人物を正確に特定できる。
【００５９】
図７は、トリミング領域設定処理の一例を示すフローチャートである。トリミング領域設定処理において、ＣＰＵ１３は、装置ＩＤが選択されたか、すなわち、図４のカメラ設定データに示される異常時の各装置ＩＤのいずれかが選択されたか確認し（ステップＳ２２１）、選択された装置ＩＤに設定されるズーム領域、すなわち、ズーム領域設定処理で設定された監視カメラ５の向き（この実施の形態では、パン角度（左右方向の向きを示す角度）、チルト角度（上下方向の向きを示す角度））およびズーム倍率で監視カメラ５を駆動して撮影された画像、具体的には、図１１に示すような画像を表示装置１１に表示する（ステップＳ２２２）。
【００６０】
次いで、センサＩＤが選択されたか、すなわち、各種センサＩＤに対応して設定されるガラス開放エラー、磁気検出エラー、電磁波検出エラー、ハンドルエラーのうちいずれかが選択されたかを確認し（ステップＳ２２３）、いずれかが選択され後、トリミング領域の選択が行われたときに（ステップＳ２２４）、選択されたトリミング領域の画像を表示装置１１に表示する（ステップＳ２２５）。
【００６１】
ステップＳ２２４で選択したトリミング領域に決定する場合には（ステップＳ２２６）、主装置１０のＣＰＵ１３により選択された領域に応じた座標および拡大率を算出し（ステップＳ２２７）、算出した座標および拡大率を装置ＩＤおよびセンサＩＤに対応付けてカメラ設定データに記憶する（ステップＳ２２８）。
【００６２】
また、ステップＳ２２６で、再びトリミング領域を設定する場合には、ステップＳ２２５の表示をクリアして再びステップＳ２２２の表示を行った後、ステップＳ２２４〜ステップＳ２２６の処理を繰り返し実行する。
【００６３】
また、ステップＳ２２５で選択されたトリミング領域の画像を表示装置１１にて表示する際、画像処理基板１４による画像処理が実行される。画像処理基板１４では、選択されたトリミング領域の画像を拡大する処理を行うが、単純に画像を拡大する処理を実行すると画質が劣化し、表示装置にて不正行為を確認し難い状態となるため、この実施の形態では、トリミング領域の画像を拡大する処理を実行するときに画質の劣化を低減させる処理が実行される。
【００６４】
なお、画質の劣化を低減させる処理としては、例えば、特開平１０−６９８２９に開示される高解像度撮像素子を採用した監視カメラを用いて撮影した画像の平均化演算処理、特開２００４−２０８２１３に開示される撮影した画像の間引き処理、等が知られている。
【００６５】
ステップＳ２２８でカメラ設定データに座標および拡大率を記憶した後、他の装置ＩＤまたは他のセンサＩＤのトリミング領域を設定する場合には、ステップＳ２２１〜ステップＳ２２８の処理を繰り返し実行し、他の装置ＩＤまたは他のセンサＩＤのトリミング領域を設定しない場合には処理を終了する（ステップＳ２２９）。
【００６６】
このような処理により、各パチンコ機１にてセンサＩＤそれぞれに対応してトリミング領域および拡大率が設定される。具体的には、図１２に示すように、ガラス枠開放センサ１ａに対応して設定されたトリミング領域１ａ’、磁気検出センサ１ｂに対応して設定されたトリミング領域１ｂ’、電磁波検出センサ１ｃに対応して設定されたトリミング領域１ｃ’、打止め検出センサ１ｄに対応して設定されたトリミング領域１ｄ’、が各パチンコ機１に設定される。そのため、パチンコ機１に設けられたいずれかのセンサにて異常を検知したときに当該パチンコ機１のセンサＩＤに対応して設定されているトリミング領域を拡大表示することにより不正行為の内容を確認することができる。
【００６７】
上記した処理（ズーム領域設定処理、トリミング領域設定処理）により設定したカメラ設定データベースを用いて監視カメラ５にて実行される処理について説明する。図８は、遊技場に設置されるパチンコ機１のうち監視カメラ５の撮影範囲に含まれるパチンコ機１に設けられたセンサにより異常を検知した場合に実行される異常発生処理である。すなわち、異常発生処理は、ホールコンピュータ２０から遊技場に設置されるパチンコ機１のいずれかに設けられるセンサにより異常が検知されたことにもとづくセンサＩＤおよび装置ＩＤが入力されたことにもとづいて対応する監視カメラ５に対して主装置１０のＣＰＵ１３により実行される。
【００６８】
なお、カメラ設定データベースに設定される通常時の監視カメラ５の向き（この実施の形態では、パン角度、チルト角度）およびズーム倍率にもとづいて駆動されることにより監視カメラ５の撮影画像は図１３に示すように、図示両側に配置するパチンコ機１の図示手前方向から５台目までのパチンコ機１が撮影範囲に含まれるように表示されている。
【００６９】
ホールコンピュータ２０から異常が検知されたことにもとづくセンサＩＤおよび装置ＩＤが入力されると、ＣＰＵ１３は、入力された装置ＩＤに対応するパチンコ機１を撮影範囲に含む監視カメラ５を特定し、特定した監視カメラ５のカメラＩＤに応じたカメラ設定データベースを選択する（ステップＳ１２０）。そして、選択したカメラ設定データベースのホールコンピュータ２０から入力された装置ＩＤに対応して記憶される設定値として監視カメラ５の向き（パン角度・チルト角度）およびズーム倍率を読み出す（ステップＳ１２１）。
【００７０】
次いで、ＣＰＵ１３は、ステップＳ１２０で特定したカメラＩＤの監視カメラ５をステップＳ１２１で読み出した設定値を用いて駆動し（ステップＳ１２２）、当該監視カメラ５の画像を示す信号を表示装置１１に出力することにより当該画像を表示装置１１に表示する（ステップＳ１２３）。具体的には、図１４（Ａ）に示すように、異常が検知された装置ＩＤに対応したパチンコ機１付近をズームアップして表示する。
【００７１】
なお、この実施の形態では、異常が検知された装置ＩＤに対応するパチンコ機１付近を表示する際、表示装置１１に異常の内容と、パチンコ機１の台番号と、を表示する。そのため、操作者は、表示装置１１を視認することにより異常の内容と、異常の発生したパチンコ機１と、を即座に把握することが可能となる。図１４では、「２００番台磁気検出」と表示され、２００番台にて磁気検出があったことを即座に把握することができる。
【００７２】
これらの処理により、表示装置１１には、異常が検知されてホールコンピュータ２０から入力された装置ＩＤに対応するパチンコ機１付近が表示され、不正を行った可能性のある人物や、不正行為の内容を確認することが可能となる。しかし、不正行為の内容によっては、異常が発生したパチンコ機１付近が表示されるだけでは、不正行為の内容を確認しにくい場合がある。このような場合には、異常を検知したセンサの原因となった箇所を拡大表示することで不正行為の内容をより確認し易くすることが可能となる。
【００７３】
この実施の形態では、ステップＳ１２３でパチンコ機１付近の画像を表示した後、拡大ボタンが操作されたときに（ステップＳ１２４）、ステップＳ１２０で選択したカメラ設定データベースのホールコンピュータ２０から入力された装置ＩＤに対応するカメラ設定データのうち、ホールコンピュータ２０から入力されたセンサＩＤに対応して設定されるトリミング領域および拡大率を読み出し（ステップＳ１２５）、読み出したトリミング領域および拡大率にもとづいて画像処理を実行して拡大画像を作成し（ステップＳ１２６）、ステップＳ１２３で表示している画像に、ステップＳ１２６で作成した拡大画像を重ねた合成画像を作成し（ステップＳ１２７）、当該合成画像を表示装置１１に出力して表示する（ステップＳ１２８）。
【００７４】
図１４（Ａ）に示すように、異常が検知された装置ＩＤに対応したパチンコ機１付近がズームアップして表示される画面の右下方に拡大ボタンが表示されている。そして、操作者が主装置１０のキーボードやマウス等の入力装置１２により選択することにより、図１４（Ｂ）に示すように、図１４（Ａ）の画像にステップＳ１２６で作成した拡大画像を重ねた合成画像を作成して表示する。
【００７５】
なお、合成画像を作成する際、図１４（Ａ）の画像を下位、拡大画像を上位となるように作成するため、図１４（Ａ）の画像の一部が拡大画像により隠された状態となる。そのため、ステップＳ１２７では、拡大画像の表示位置が不正行為を行った可能性のある人物を視認できなくならないような位置となるように予め設定し、画像の合成処理を実行することが好ましい。具体的には、図１４（Ｂ）の図示右上部に拡大画像が位置するように画像の合成処理を実行することにより、表示装置１１に拡大画像を表示した状態であっても不正行為を行った可能性のある人物を確認できる。
【００７６】
また、ステップＳ１２６で拡大画像を表示装置１１に表示する際、ステップＳ１２３で表示した画像と、ステップＳ１２６で作成した拡大画像と、をそれぞれ別々の表示エリアとなるように合成画像を作成し、表示装置１１にてステップＳ１２３で表示した画像と、拡大画像と、を個々に表示するようにしてもよい。例えば、図１５に示すように、ステップＳ１２６で作成した拡大画像を表示するエリア（図示左側部）と、ステップＳ１２３で表示した画像を表示するエリア（図示右側部）と、を設けることにより、拡大画像を表示した状態であっても不正行為を行った可能性のある人物を確認することができるようにしてもよい。
【００７７】
また、合成画像を作成することなく、ステップＳ１２３で表示した画像をステップＳ１２６で作成した拡大画像に切り替えて表示し、所定の操作があったとき、例えば、戻るボタンが選択されたときにステップＳ１２３で表示した画像を表示するようにしてもよい。
【００７８】
また、この実施の形態では、当該パチンコ機１に設置される複数のセンサそれぞれに対応して１つのトリミング領域が設定されるが、遊技場に設置される装置に対応して設けられた各種センサが複数のトリミング領域と対応するようにカメラ設定データベースを設定するようにしてもよい。すなわち、図２２に示すように、カメラ設定データベースにおいて、各種センサに対応してトリミング領域を複数、例えば、ガラス枠開放センサ１ａによりガラス扉枠１１１が開放されたことを検知したときに参照されるガラス開放エラー、磁気検出センサ１ｂにより始動入賞口１１８付近に設けられて磁力を検出したときに参照される磁気検出エラー、のそれぞれにトリミング領域が２つ設定されるようにカメラ設定データベースを構成してもよい。
【００７９】
この場合には、ステップＳ１２５で異常を検知したセンサに対応してカメラ設定データベースに記憶されているトリミング領域および拡大率を全て読み出し、ステップＳ１２６でそれぞれのトリミング領域および拡大率にもとづいて個々に拡大画像を作成し、作成した全ての拡大画像と、ステップＳ１２３で表示している画像と、を合成した合成画像を作成して当該合成画像を表示装置１１にて表示する。
【００８０】
例えば、磁気検出センサ１ｂにより異常を検知した場合には、ステップＳ１２５で図２２に示す磁気検出エラーに対応して設定されるトリミング領域および拡大率を読み出し、それぞれのトリミング領域および拡大率にもとづいてステップＳ１２６で拡大画像を個々に作成する。そして、ステップＳ１２６で作成した２つの拡大画像と、ステップＳ１２３で表示している画像と、を合成した合成画像を作成して図２３に示す画像表示が行われる。すなわち、図示左上部に打玉操作ハンドル１１４付近を拡大した画像、図示左下部に始動入賞口１１８付近を拡大した画像、図示右側部に異常を検知したセンサに対応するパチンコ機１付近の画像、が表示される。
【００８１】
図２３に示す場合においては、遊技者が磁石１２１を用いて遊技玉を吸い付けて始動入賞口１１８へ誘導するとともに、打玉操作ハンドル１１４に設けられて上述した打玉発射装置による遊技玉の発射を停止させる発射停止ボタン１１４ａを操作していることを確認できる。このように、各種センサに対応して複数のトリミング領域が設定されるようにカメラ設定データベースを構成することにより、不正行為の様子を捉えるうえで複数箇所を捉える必要が生じる場合にも対応できる。
【００８２】
なお、図２３に示す合成画像では、ステップＳ１２６で作成した拡大画像と、ステップＳ１２３で表示している画像と、を別エリアで表示するようにステップＳ１２７で合成しているが、ステップＳ１２３で表示している画像にステップＳ１２６で作成した拡大画像を重ねて合成するようにしてもよい。この場合には、さらにステップＳ１２６で作成した拡大画像を重ねて合成するようにしてもよく、不正行為の様子が視認できなくならないような位置に合成するようにしればよい。
【００８３】
ステップＳ１２６で作成した拡大画像と、ステップＳ１２３で表示した画像と、を表示装置１１に表示した後（ステップＳ１２８）、画像表示を終了する場合には（ステップＳ１２９）、画像表示を終了して当該カメラＩＤに対応してカメラ設定データベースに記憶される通常時の監視カメラ５の向き（パン角度、チルト角度）およびズーム倍率で当該カメラＩＤに対応する監視カメラ５を駆動する（ステップＳ１３０）。
【００８４】
このように、この実施の形態では、遊技場に設置される各パチンコ機１には、異常を検知するセンサが複数設けられ、いずれかのセンサにより異常が検知されたときに、当該異常を検知したセンサが設けられたパチンコ機１を撮影範囲に含む監視カメラ５を駆動して当該パチンコ機１付近をズームアップした画像を表示装置１１に表示するとともに、操作者からの操作にもとづいて、当該パチンコ機１に設けられる複数のセンサそれぞれに対応して設定される異常の原因となる領域のうち、異常を検知したセンサに対応した領域の画像処理を行って当該領域を拡大表示するため、不正行為の内容を確認することが容易となる。
【００８５】
なお、本実施形態における入力装置１２は、キーボード、マウス等により構成されるが、表示装置１１を当該表示装置１１の表示画面を指等で触れることによりその位置を特定し、操作を検出するタッチパネルを入力装置１２としてもよい。また、タッチパネル、キーボード、マウスのうち全て、または、任意の組み合わせを入力装置１２としてもよい。
【００８６】
以上、遊技場に設置される遊技機としてパチンコ機１を例に説明してきたが、本発明は、パチンコ機１に限らず、遊技可能状態で複数のリールを回転させて停止時のリールの表示態様に応じて所定数の遊技メダルが払い出されるスロットマシン２に対しても有効である。以下、遊技機としてスロットマシン２を例に説明する。
【００８７】
図１６に示すように、スロットマシン２は、直方体状の収容箱（図示しない）と、収容箱の前面に開閉可能に取り付けられた前面扉１３０とから構成されている。前面扉１３０の中央右側部には、遊技媒体としての遊技メダルを投入するメダル投入口１３１が設けられ、その左上方には、外周部に複数種類の図柄が描かれた複数のリールを備える可変表示ユニット１３２が視認可能に設けられている。また、可変表示ユニット１３２の左下方には、スタートレバー１３３が設けられ、スタートレバー１３３の右側方には、ストップボタン１３４が設けられている。また、ストップボタン１３４の下方にはメダル払出口１３５が設けられている。
【００８８】
スロットマシン２では、メダル投入口１３１に遊技メダルを投入した後、スタートレバー１３３を押下することにより可変表示ユニット１３２のリールが回転することにより遊技が行われる。可変表示ユニット１３２にてリールが回転を開始してから所定期間内にストップボタン１３４を押圧することにより各ストップボタン１３４に対応するリールが停止する。すなわち、この実施の形態では、可変表示ユニット１３２には左・中・右の３つのリールが設けられるとともに、各リールに対応してストップボタン１３４が左・中・右の３つ設けられている。可変表示ユニット１３２にてリールが回転している間に、ストップボタン１３４の左を押圧することにより可変表示ユニット１３２の左リールを停止させ、ストップボタン１３４の中を押圧することにより可変表示ユニット１３２の中リールを停止させ、ストップボタン１３４の右を押圧することにより可変表示ユニット１３２の右リールを停止させる。停止後の可変表示ユニット１３２の表示結果が所定の表示態様となるとメダル払出口１３５から遊技メダルが払い出される。
【００８９】
このように構成されるスロットマシン２においても、パチンコ機１同様、不正行為対策として様々なセンサが設けられている。不正行為の内容としては、例えば、スロットマシン２の前面扉１３０を不正に開放して収容箱内に設けられて遊技メダルを貯留するホッパーユニット（図示しない）から遊技メダルを詐取したり、メダル投入口１３１に先端部に発行装置を備えるセルを挿入して誤作動を生じさせて遊技メダルを投入していないのに遊技メダルを投入したと認識させたり、メダル払出口１３５に針金等を挿入してホッパーユニットから遊技メダルを詐取したり、体感器を用いて所定の間隔でスタートレバー１３３を押下することにより当りとなるタイミングを狙ったりすること等が行われている。
【００９０】
このような不正を検出する手段としてスロットマシン２には、前面扉１３０が開放されたときに信号を出力する前面扉開放センサ２ｐ、メダル投入口１３１に遊技メダルが投入されていないのに遊技メダルの投入数（クレジット）が加算されたときに信号を出力する投入異常検出センサ２ｑ、メダル払出口１３５に異物が侵入したときに信号を出力する異物検出センサ２ｒ、スタートレバー１３３にて所定の間隔でスタートレバーが押下されたときに信号を出力するスタート異常検出センサ２ｓ、等が設けられている。
【００９１】
なお、スロットマシン２に設けられる各種センサには、主装置１０にて各種センサを特定可能なセンサＩＤとして、図１６に示すように、前面扉開放センサ２ｐはセンサＩＤ「ｐ」が付与され、投入異常検出センサ２ｑはセンサＩＤ「ｑ」が付与され、異物検出センサ２ｒはセンサＩＤ「ｒ」が付与され、スタート異常検出センサ２ｓはセンサＩＤ「ｓ」が付与されている。スロットマシン２に設けられたセンサにより異常が検知されると、スロットマシン２からホールコンピュータ２０に当該スロットマシン２に付与された装置ＩＤと、当該異常を検知したセンサのセンサＩＤと、を出力する。
【００９２】
ホールコンピュータ２０では、これらの信号が入力されたことにもとづいて当該異常に応じた処理を実行するとともに、当該装置ＩＤおよびセンサＩＤを主装置１０に出力する。主装置１０では、装置ＩＤおよびセンサＩＤが入力されたことにもとづき、上述したカメラ設定データベースの装置ＩＤおよびセンサＩＤに対応したカメラ設定データを読み出し、読み出したカメラ設定データに応じて監視カメラ５を駆動制御する。すなわち、ホールコンピュータ２０から入力された装置ＩＤに対応するスロットマシン２が撮影範囲に含まれる監視カメラ５のカメラＩＤに応じたカメラ設定データベースに設定される各設定条件のうち入力された装置ＩＤに応じたカメラ設定データを読み出して、当該監視カメラを駆動制御する。
【００９３】
図１７は、カメラ設定データベースにカメラＩＤに対応して個々に記録されるカメラ設定データの一例を示す説明図であり、主装置１０のディスプレイ等からなる表示装置１１にて表示された状態を示している。図１７に示すカメラ設定データは、カメラＩＤ「０９」に対応したものであり、図１に示す遊技場に設置される監視カメラ５のうち図示中央から図示下方に撮影するような天井位置に設置されたものである。また、このカメラ設定データは、図１に示す装置ＩＤ「Ｉ−０１」〜「Ｉ−０５」および「Ｊ−０１」〜「Ｊ−０５」に対応するスロットマシン２のうち図示下方左端に列設されるスロットマシン２のうち上端のスロットマシン２から５台目のスロットマシン２までと、図示下方左端から２番目に列設されるスロットマシン２のうち上端のスロットマシン２から５台目のスロットマシン２までと、が撮影可能となるように設定されている。
【００９４】
また、上述したように、これらのスロットマシン２のいずれかに設けられたセンサによって異常が検知されていない通常時には、装置ＩＤ「Ｉ−０１」〜「Ｉ−０５」および「Ｊ−０１」〜「Ｊ−０５」に対応するスロットマシン２全てを撮影可能となるように監視カメラ５の向き（この実施形態では、パン角度（左右方向の向きを示す角度）、チルト角度（上下方向の向きを示す角度））およびズーム倍率がカメラ設定データに設定されている。
【００９５】
そして、これらのスロットマシン２のうちいずれかに設けられたセンサによって異常が検知され、ホールコンピュータ２０から装置ＩＤおよびセンサＩＤが入力された異常時には、当該装置ＩＤに応じたスロットマシン２付近をズームアップして撮影可能となるように監視カメラ５の向き（この実施形態では、パン角度（左右方向の向きを示す角度）、チルト角度（上下方向の向きを示す角度））およびズーム倍率が各装置ＩＤに対応して個々にカメラ設定データに設定されている。
【００９６】
さらに、これら異常時にズームアップされたスロットマシン２付近のうち異常を検知したセンサのセンサＩＤに対応して拡大表示したい箇所（トリミング領域）および拡大率が設定される。この実施の形態では、前面扉開放センサ２ｐにより前面扉１３０が開放されたことを検知したときに参照される前面扉開放エラーと、投入異常検出センサ２ｑにより投入異常を検知したときに参照される投入口エラーと、異物検出センサ２ｒにより異物の侵入を検知したときに参照されるホッパーエラーと、スタート異常検出センサ２ｓによりスタート異常と判定されたときに参照されるレバーエラーと、のそれぞれにトリミング領域および拡大率が設定されている。このように、異常を検知したセンサにより異なるトリミング領域を設定し、当該センサにより異常を検知したときに当該センサに対応した画像を表示することにより不正が行われたと推測される箇所を拡大表示して不正行為の内容を正確に捉えることが可能となる。
【００９７】
なお、カメラ設定データは、操作者が主装置１０を操作して各監視カメラ５を駆動し、監視カメラ５毎に作成される。図１７の図示下方には、ズーム領域を設定する際に選択されるズーム領域設定ボタンと、トリミング領域を設定する際に選択されるトリミング領域設定ボタンと、が表示され、主装置１０のキーボードやマウス等の入力装置１２により選択することにより設定画面が表示装置１１に表示される。
【００９８】
図１７にてトリミング領域設定ボタンを選択することにより、図７に示すトリミング領域設定処理が実行される。そして、トリミング領域設定処理において、図１７のカメラ設定データに示される異常時の各装置ＩＤのいずれかが選択されたことにもとづいて選択された装置ＩＤに設定されるズーム領域、すなわち、ズーム領域設定処理で設定された監視カメラ５の向き（この実施の形態では、パン角度（左右方向の向きを示す角度）、チルト角度（上下方向の向きを示す角度））およびズーム倍率で監視カメラ５を駆動して撮影された画像、具体的には、図１８に示すような画像を表示装置１１に表示する。
【００９９】
スロットマシン２においてもパチンコ機１同様、各スロットマシン２にてセンサＩＤそれぞれに対応してトリミング領域および拡大率が設定される。具体的には、図１９に示すように、前面扉開放センサ２ｐに対応して設定されたトリミング領域２ｐ’、投入異常検出センサ２ｑに対応して設定されたトリミング領域２ｑ’、異物検出センサ２ｒに対応して設定されたトリミング領域２ｒ’、スタート異常検出センサ２ｓに対応して設定されたトリミング領域２ｓ’、が各スロットマシン２に設定される。そのため、スロットマシン２に設けられたいずれかのセンサにて異常を検知したときに当該スロットマシン２のセンサＩＤに対応して設定されているトリミング領域を拡大表示することにより不正行為の内容を確認することができる。
【０１００】
遊技場に設置されるスロットマシン２に設けられたセンサのいずれかにより異常を検知した場合には、図８に示す異常発生処理が実行される。そして、異常発生処理にて、ホールコンピュータ２０から入力された装置ＩＤに対応するスロットマシン２を撮影範囲に含む監視カメラ５を特定し、特定した監視カメラ５のカメラＩＤに応じたカメラ設定データベースのうちホールコンピュータ２０から入力された装置ＩＤに対応して記憶される監視カメラ５の向き（パン角度・チルト角度）およびズーム倍率を用いて駆動し、当該監視カメラ５の画像を表示装置１１に表示する。
【０１０１】
具体的には、図２０（Ａ）に示すように、異常が検知された装置ＩＤに対応したスロットマシン２付近をズームアップして表示する。なお、この実施の形態では、異常が検知された装置ＩＤに対応するスロットマシン２付近を表示する際、表示装置１１に異常の内容と、スロットマシン２の台番号と、を表示する。そのため、操作者は、表示装置１１を視認することにより異常の内容と、異常の発生したスロットマシン２と、を即座に把握することが可能となる。図２０では、「１５０番台メダル投入エラー」と表示され、１５０番台にてメダル投入口１３１に関わる異常が発生したことを即座に把握することができる。
【０１０２】
また、図２０（Ａ）に示すように、異常が検知された装置ＩＤに対応したスロットマシン２付近がズームアップして表示される画面の右下方に拡大ボタンが表示されている。そして、操作者が主装置１０のキーボードやマウス等の入力装置１２により選択することにより、図２０（Ｂ）に示すように、図２０（Ａ）の画像に異常発生処理におけるステップＳ１２６で作成した拡大画像を重ねた合成画像を作成して表示する。
【０１０３】
なお、合成画像を作成する際、図２０（Ａ）の画像を下位、拡大画像を上位となるように作成するため、図２０（Ａ）の画像の一部が拡大画像により隠された状態となる。そのため、異常発生処理におけるステップＳ１２７では、拡大画像の表示位置が不正行為を行った可能性のある人物を視認できなくならないような位置となるように予め設定し、画像の合成処理を実行するようにしてもよい。具体的には、図２０（Ｂ）の図示右上部に拡大画像を表示することにより、拡大画像を表示した状態であっても不正行為を行った可能性のある人物を確認できるようにしてもよい。
【０１０４】
なお、画像処理を施すことにより拡大画像を表示装置１１に表示する際、図２０（Ａ）に示す画像と、拡大画像と、をそれぞれ別々の表示エリアとなるように合成画像を作成し、表示装置にて図２０（Ａ）に示す画像と、拡大画像と、を個々に表示するようにしてもよい。例えば、図２１に示すように、拡大画像を表示するエリア（図示左側部）と、図２０（Ａ）に示す画像を表示するエリア（図示右側部）と、を設けることにより、拡大画像を表示した状態であっても不正行為を行った可能性のある人物を確認することができるようにしてもよい。
【０１０５】
また、この実施の形態では、当該スロットマシン２に設置される複数のセンサそれぞれに対応して１つのトリミング領域が設定されるが、それぞれのセンサに対応して複数のトリミング領域を設定するようにしてもよく、この場合には、ステップＳ１２５で異常を検知したセンサに対応してカメラ設定データベースに記憶されているトリミング領域および拡大率を全て読み出し、ステップＳ１２６でそれぞれのトリミング領域および拡大率にもとづいて個々に拡大画像を作成し、作成した全ての拡大画像と、ステップＳ１２３で表示している画像と、を合成した合成画像を作成して当該合成画像を表示装置１１にて表示するようにしてもよい。このように構成することにより、不正行為の様子を捉えるうえで複数箇所を捉える必要が生じる場合にも対応できる。
【０１０６】
このように、遊技場に設置される各スロットマシン２においてもパチンコ機１同様、異常を検知するセンサが複数設けられ、いずれかのセンサにより異常が検知されたときに、当該異常を検知したセンサが設けられたスロットマシン２を撮影範囲に含む監視カメラ５を駆動して当該スロットマシン２付近をズームアップした画像を表示装置１１に表示するとともに、操作者からの操作にもとづいて、当該スロットマシン２に設けられる複数のセンサそれぞれに対応して設定される異常の原因となる領域のうち、異常を検知したセンサに対応した領域の画像処理を行って当該領域を拡大表示するため、不正行為の内容を確認することが容易となる。
【０１０７】
以上、遊技場に設置された遊技機を監視する監視カメラシステムについて説明してきたが、本発明における監視カメラシステムは、遊技機に関わらず、遊技場に設置される装置（例えば、カード発行機４０、精算機７０、など）に異常が発生したときに信号を出力するセンサを設け、当該センサからの信号が出力されたときにも適用可能である。
【０１０８】
また、上述した実施形態では、監視カメラを備えた監視カメラシステムについて説明したが、本実施形態に記載した監視カメラに限らず、少なくとも拡大率を調整可能な撮影手段を備えた監視カメラシステムであればよい。
【０１０９】
また、本実施形態では、上述した異常等を検知可能な各種センサを示したが、本実施形態に示すセンサに限らず、遊技場に設置される装置に対応して設けられ、当該装置にて発生する異常等を検知可能な機器状態検出手段であればよい。例えば、精算機に設けられて紙幣の真贋判定における異常を検知するセンサでもよい。
【０１１０】
なお、本発明において、本実施形態にて開示した監視カメラシステムおよび各種異常検出センサ等は、本実施形態における開示内容に限らず、本発明出願時において既に公知となっているこれらに関する技術を包含するものである。
【０１１１】
また、本実施形態では、遊技場に設置される装置に対応して設けられる各種センサにより異常が検知されると、当該異常を検知したセンサが設けられている装置からホールコンピュータ２０に当該装置に付与された装置ＩＤと、当該異常を検知したセンサのセンサＩＤと、を出力し、ホールコンピュータ２０から主装置１０に当該装置ＩＤとセンサＩＤとを出力する構成としているが、遊技場に設置される装置に対応して設けられる各種センサにより異常が検知されたときに当該異常を検知したセンサが設けられている装置から主装置１０に当該装置ＩＤと、当該異常を検知したセンサのセンサＩＤと、を出力する構成としてもよい。この場合には、主装置１０に装置ＩＤと、センサＩＤと、が入力されたことにもとづいてホールコンピュータ２０に当該装置ＩＤと、当該センサＩＤと、を出力するようにしてもよいし、当該装置から主装置１０と、ホールコンピュータ２０と、の両方に当該装置ＩＤと、当該センサＩＤと、を出力する構成としてもよい。
【図面の簡単な説明】
【０１１２】
【図１】本実施形態の遊技場における監視カメラシステムの構成を示すブロック図である。
【図２】本実施形態における監視カメラシステムを構成する主装置の構成を示すブロック図である。
【図３】本実施形態におけるパチンコ機およびパチンコ機に設置されるセンサの一例を示す正面図である。
【図４】パチンコ機を撮影範囲に含む監視カメラに対応して設定されるカメラ設定データベースの一例を示す説明図である。
【図５】主装置に搭載されるＣＰＵが実行する初期設定処理の一例を示すフローチャートである。
【図６】主装置に搭載されるＣＰＵが実行するズーム領域設定処理の一例を示すフローチャートである。
【図７】主装置に搭載されるＣＰＵが実行するトリミング領域設定処理の一例を示すフローチャートである。
【図８】主装置に搭載されるＣＰＵが実行する異常発生処理の一例を示すフローチャートである。
【図９】主装置に搭載されるＣＰＵによりズーム領域設定処理が実行されたときの表示装置における表示画面の一例を示す図である。
【図１０】パチンコ機それぞれに対応して設定されるズーム領域の一例を示す図である。
【図１１】主装置に搭載されるＣＰＵによりトリミング領域設定処理が実行されたときの表示装置における表示画面の一例を示す図である。
【図１２】パチンコ機に設けられたセンサそれぞれに対応して設定されるトリミング領域の一例を示す図である。
【図１３】通常時における監視カメラの撮影画像の一例を示す図である。
【図１４】主装置に搭載されるＣＰＵにより異常発生処理が実行されたときの表示装置における表示画面の一例を示す図である。
【図１５】主装置に搭載されるＣＰＵによりズーム領域設定処理にて拡大ボタンが選択されたときの表示装置における表示画面の他の例を示す図である。
【図１６】本実施形態におけるスロットマシンおよびスロットマシンに設置されるセンサの一例を示す正面図である。
【図１７】スロットマシンを撮影範囲に含む監視カメラに対応して設定されるカメラ設定データベースの一例を示す説明図である。
【図１８】主装置に搭載されるＣＰＵによりトリミング領域設定処理が実行されたときの表示装置における表示画面の一例を示す図である。
【図１９】スロットマシンに設けられたセンサそれぞれに対応して設定されるトリミング領域の一例を示す図である。
【図２０】主装置に搭載されるＣＰＵにより異常発生処理が実行されたときの表示装置における表示画面の一例を示す図である。
【図２１】主装置に搭載されるＣＰＵによりズーム領域設定処理にて拡大ボタンが選択されたときの表示装置における表示画面の他の例を示す図である。
【図２２】パチンコ機を撮影範囲に含む監視カメラに対応して設定されるカメラ設定データベースの他の例を示す説明図である。
【図２３】主装置に搭載されるＣＰＵによりズーム領域設定処理にて拡大ボタンが選択されたときの表示装置における表示画面の他の例を示す図である。
【符号の説明】
【０１１３】
１        パチンコ機
１ａ      ガラス枠開放センサ
１ｂ      磁気検出センサ
１ｃ      電磁波検出センサ
１ｄ      止打ち検出センサ
２        スロットマシン
２ｐ      前面扉開放センサ
２ｑ      投入異常検出センサ
２ｒ      異物検出センサ
２ｓ      スタート異常検出センサ
３        カードユニット
５        監視カメラ
８        データバス
９        通信ケーブル
１０      主装置
１１      表示装置
１２      入力装置
１３      ＣＰＵ
１４      画像処理基板
１５      通信インターフェイス
１６      ＲＡＭ
１７      プリンタ
１８      ＲＴＣ
１９      ハードディスク
２０      ホールコンピュータ
１００      システムコントローラ
１１１      ガラス扉枠
１１４      打玉操作ハンドル
１１４ａ    発射停止ボタン
１１８      始動入賞口
１１９      可変入賞装置
１２１      磁石
１３０      前面扉
１３１      メダル投入口
１３３      スタートレバー
１３５      メダル払出口
【図１】
2006095159.tif 000003
【図２】
2006095159.tif 000004
【図３】
2006095159.tif 000005
【図４】
2006095159.tif 000006
【図５】
2006095159.tif 000007
【図６】
2006095159.tif 000008
【図７】
2006095159.tif 000009
【図８】
2006095159.tif 000010
【図９】
2006095159.tif 000011
【図１０】
2006095159.tif 000012
【図１１】
2006095159.tif 000013
【図１２】
2006095159.tif 000014
【図１３】
2006095159.tif 000015
【図１４】
2006095159.tif 000016
【図１５】
2006095159.tif 000017
【図１６】
2006095159.tif 000018
【図１７】
2006095159.tif 000019
【図１８】
2006095159.tif 000020
【図１９】
2006095159.tif 000021
【図２０】
2006095159.tif 000022
【図２１】
2006095159.tif 000023
【図２２】
2006095159.tif 000024
【図２３】
2006095159.tif 000025